(57)【要約】  被検体上を移動自在であり、前記被検体に超音波を照射して、反射波を検出する超音波探触子（２）と、前記超音波探触子（２）による検出結果に基づいて演算処理を実行し、前記被検体の探傷結果を取得する演算処理装置（５）とを有する検査システムの検査プローブ（１００）であって、前記検査プローブ（１００）は、前記被検体上に配列され前記被検体上の位置を示す２次元模様（１ａ）が描かれているシート材（１）上を移動自在とされ、透明性と音波透過性とを備える筐体（１０）と、前記筐体（１０）に固定された前記超音波探触子（２）と、前記筐体（１０）に固定され前記２次元模様（１ａ）を読み取るリーダー（３）と、前記筐体（１０）に固定された照明（６）と、を備え、前記超音波探触子（２）から前記被検体の対向面（ＳＰ）に入射する超音波の入射点（Ｌ２）が、前記リーダー（３）の画角（γ）内に入るように前記筐体（１０）に前記超音波探触子（２）が固定されている。
2016098224.tif 000002
【特許請求の範囲】
【請求項１】
被検体上を移動自在であり、前記被検体に超音波を照射して、反射波を検出する超音波探触子と、前記超音波探触子による検出結果に基づいて演算処理を実行し、前記被検体の探傷結果を取得する演算処理装置とを有する検査システムの検査プローブであって、前記検査プローブは、
前記被検体上に配列され前記被検体上の位置を示す２次元模様が描かれているシート材上を移動自在とされ、透明性と音波透過性とを備える筐体と、
前記筐体に固定された前記超音波探触子と、
前記筐体に固定され前記２次元模様を読み取る所定の画角を有するリーダーと、
前記筐体に固定された照明と、を備え、
前記超音波探触子から前記被検体の対向面に入射する超音波の入射点が、前記リーダーの前記画角内に入るように前記筐体に前記超音波探触子が固定されている検査プローブ。
【請求項２】
前記照明から前記被検体に入射する照明光の入射角が、前記超音波探触子から前記被検体に入射する超音波の入射角よりも大きくなるように前記照明が前記筐体に固定されている請求項１に記載の検査プローブ。
【請求項３】
前記照明から発射されて前記被検体に入射せずに前記被検体の対向面で反射した照明光と、前記被検体に入射した前記照明光の反射光が前記リーダーに入射しないように前記照明が前記筐体に固定されている請求項１に記載の検査プローブ。
【請求項４】
前記照明が前記リーダーの下方に固定されている請求項１に記載の検査プローブ。
【請求項５】
前記筐体は中実の単一のアクリル樹脂である請求項１に記載の検査プローブ。
【発明の詳細な説明】
【技術分野】
【０００１】
本発明は、超音波探触子を備える検査プローブに関する。
【背景技術】
【０００２】
特許文献１には、被検体上の位置データを正確に取得することができる超音波探触子が開示されている。この超音波探触子は、上記被検体に対して超音波を送受信する振動子と、上記被検体の対向面のパターンを一定周期で読取る光学センサを有し、上記光学センサで任意の周期で読取られたパターンの１つ前の周期で読取られた同一パターンからの移動量に基づいて上記被検体上における自己の現在の位置を検出する光学位置検出器と、上記振動子及び上記光学位置検出器を収納する容器とを備える。
【先行技術文献】
【特許文献】
【０００３】
【特許文献１】日本国特開２００１−３４９８７８号公報
【発明の概要】
【発明が解決しようとする課題】
【０００４】
上記従来技術の超音波探触子によれば、被検体の対向面のパターンを光学センサで正確に読み取り、正確に読み取ったパターンを基に光学位置検出器で超音波探触子の位置を検出する際、被検体の対向面のパターンと光学センサとの間に気泡が混入しているのに気付かずにパターンの読み取りを継続したり、光学センサによるパターンの読み取りが被検体の対向面からの反射光により妨げられたりすることがあり、正確なパターンの読み取りが阻害される可能性がある。【０００５】
本発明は、上述した事情に鑑みてなされたものであり、光学センサによるパターンの読み取りが被検体の対向面に反射する光により妨げられることを防止し、被検体の対向面のパターンと光学センサとの間に気泡が混入したか否かを容易に確認できるようにし、より正確に被検体の対向面のパターンを読み取ることを目的とする。
【課題を解決するための手段】
【０００６】
本発明の第１の態様は、被検体上を移動自在であり、上記被検体に超音波を照射して、反射波を検出する超音波探触子と、上記超音波探触子による検出結果に基づいて演算処理を実行し、上記被検体の探傷結果を取得する演算処理装置とを有する検査システムの検査プローブであって、上記検査プローブは、上記被検体上に配列され前記被検体上の位置を示す２次元模様が描かれているシート材上を移動自在とされ、透明性と音波透過性とを備える筐体と、上記筐体に固定された上記超音波探触子と、上記筐体に固定され上記２次元模様を読み取る所定の画角を有するリーダーと、上記筐体に固定された照明と、を備え、上記超音波探触子から上記被検体の対向面に入射する超音波の入射点が、上記リーダーの上記画角内に入るように上記筐体に上記超音波探触子が固定されている。【０００７】
本発明の第２の態様は、上記第１の態様の検査プローブにおいて、上記照明から上記被検体に入射する照明光の入射角が、上記超音波探触子から上記被検体に入射する超音波の入射角よりも大きくなるように上記照明が上記筐体に固定されている。【０００８】
本発明の第３の態様は、上記照明から発射されて上記被検体に入射せずに上記被検体の対向面で反射した照明光と、上記被検体に入射した上記照明光の反射光が上記リーダーに入射しないように上記照明が上記筐体に固定されている。【０００９】
本発明の第４の態様は、上記第１の態様の検査プローブにおいて、上記照明が上記リーダーの下方に固定されている。【００１０】
本発明の第５の態様は、上記第１の態様の検査プローブにおいて、上記筐体は中実の単一のアクリル樹脂である。
【発明の効果】
【００１１】
本発明によれば、光学センサによるパターンの読み取りが被検体の対向面からの反射光により妨げられることを防止することができる。また、被検体の対向面のパターンと光学センサとの間に気泡が混入しているか否かを容易に確認することができる。そのため、正確に被検体の対向面のパターンを読み取ることができ、気泡の混入により音波が入射していないにもかかわらずパターンの読み取りを継続してしまうことを防ぐことができる。
【図面の簡単な説明】
【００１２】
【図１】本発明の第１実施形態に係る検査システムの機能ブロック図である。
【図２】本発明の第１実施形態におけるシート材の表面を模式的に示した図である。
【図３】本発明の第１実施形態の検査プローブの側面図である。
【図４】本発明の第１実施形態の検査プローブの平面図である。
【図５】本発明の第１実施形態の筐体の平面図である。
【図６Ａ】本発明の第１実施形態の第１の変形例の検査プローブの平面図である。
【図６Ｂ】本発明の第１実施形態の第２の変形例の検査プローブの平面図である。
【図７】本発明の第１実施形態の第３の変形例の検査プローブの側面図である。
【図８Ａ】本発明の第１実施形態の検査プローブによる被検体の対向面の読み取り例を示す図である。
【図８Ｂ】本発明の第１実施形態の検査プローブによる被検体の対向面の読み取り例を示す図である。
【発明を実施するための形態】
【００１３】
初めに本発明の第１実施形態について説明する。
本発明の第１実施形態に係る超音波探触子２を備える検査システムは、例えば、被検体の一例である配管Ｐの検査に用いられ、配管Ｐの溶接線に発生する亀裂等を検出する。この検査システムは、図１に示すように、シート材１、超音波探触子２、リーダー３、超音波探傷器４及び演算処理装置５から構成されている。
【００１４】
シート材１は、図１に示すように、配管Ｐの表面に貼り付けられている。このシート材１には、図２に示すように、表面にＱＲコード（登録商標）１ａ（２次元模様）が配管Ｐ上の軸方向及び周方向に描かれている。ＱＲコード１ａには、配管Ｐ上の位置（座標）を示すデータが暗号化されており、例えば、配管Ｐの軸方向及び周方向に１０ｍｍ間隔で配置されている。また、シート材１は、配管Ｐの表面に直接ではなく、超音波を伝播させるグリセリンペースト（接触媒質）が配管Ｐの表面に塗布されて貼り付けられている。このように、配管Ｐ上に塗布されたグリセリンペーストの上からシート材１を貼り付けることで、グリセリンペーストの粘着性によりシート材１を配管Ｐに吸着させることができ、さらに配管Ｐの表面に凹凸がある場合でも、シート材１を平らに貼り付けることができる。
【００１５】
超音波探触子２は、同軸ケーブルを介して超音波探傷器４に接続されており、配管Ｐ上を移動自在である。また、超音波探触子２は、先端から超音波を発生し、上記超音波の反射波を検出し、上記検出結果を検出信号として超音波探傷器４に出力する。例えば、この超音波探触子２は、検査員の手動によって配管Ｐの表面を走査させられ、配管Ｐの亀裂等を示す超音波の反射波を検出する。
なお、超音波探触子２としては、単一の振動子を用いたものでも、振動子をアレイ状に配列したものであっても良い。
【００１６】
リーダー３は、超音波探触子２の近傍に取り付けられ、配管Ｐ上に貼り付けられたシート材１表面のＱＲコード１ａを読み取る所定の画角γを有する光学式リーダーであり、信号ケーブルを介して通信Ｉ／Ｆ部１３に接続され、読み取ったＱＲコード１ａの画像が含まれる画像信号を通信Ｉ／Ｆ部１３に出力する。例えば、リーダー３は、ＬＥＤ（Light Emitting Diode）等の発光素子を備える発光部と、ＣＣＤ（Charge Coupled Device）カメラ等の撮像部とからなり、超音波探触子２の移動方向（走査方向）における前側または後側に取り付けられている。
なお、本実施形態において、リーダー３は、後述する共通の筐体１０に固定されることによって、超音波探触子２と一体化されている。
【００１７】
超音波探傷器４は、超音波探触子２に接続されると共に演算処理装置５の通信Ｉ／Ｆ部１３に接続され、超音波探触子２及びリーダー３に電力を供給し、また超音波探触子２から入力される検出信号をＡ/Ｄ変換して演算処理装置５の通信Ｉ／Ｆ部１３に出力する。
なお、図１における矢印の向きは、信号の進む方向を表示しており、上述の電力供給の向きとは関係がない。
また、超音波探触子２には超音波探傷器４から電力が供給され、リーダー３には通信Ｉ／Ｆ部１３から電力が供給されても良い。
なお、超音波探触子２及びリーダー３の接続は、有線接続に限らず、無線接続であっても良い。
また、超音波探触子２が複数設けられていても良い。
【００１８】
演算処理装置５は、超音波探傷器４に接続された、例えば、デスクトップ型またはノート型等のパーソナルコンピュータであり、図１に示すように、表示部１１、操作部１２、通信Ｉ／Ｆ部１３及び演算制御部１４を備える。
【００１９】
表示部１１は、ＣＲＴ（Cathode Ray Tube）ディスプレイまたは液晶ディスプレイ等の表示器であり、演算制御部１４の制御の下、各種画面を表示する。
操作部１２は、マウス等のポインティングデバイス及びキーボードから構成され、ユーザから受け付けた操作指示を演算制御部１４に出力する。
通信Ｉ／Ｆ部１３は、演算制御部１４の制御の下、通信ケーブルを介して超音波探傷器４との間で各種信号の送受信を行う。
通信Ｉ／Ｆ部１３は、さらに、信号ケーブルを介して、リーダー３に接続され、リーダー３が読み取ったＱＲコード１ａの画像信号を受信する。通信Ｉ／Ｆ部１３は、受信した画像信号をＡ/Ｄ変換する。
【００２０】
演算制御部１４は、ＣＰＵ（Central Processing Unit）、ＲＯＭ（Read Only Memory）、ＨＤＤ（Hard Disk）、ＲＡＭ（Random Access Memory）及び電気的に相互接続された各部と各種信号の送受信を行うインターフェイス回路等から構成されている。この演算制御部１４は、上記ＲＯＭに記憶された各種演算制御プログラムに基づいて各種の演算処理を行うと共に各部と通信を行うことにより演算処理装置５の全体動作を制御する。
演算制御部１４は、ＲＯＭまたはＨＤＤに検査プログラム１４ａを記憶し、検査プログラム１４ａに基づいて動作することで、リーダー３によって読み取られたＱＲコード１ａを解析して配管Ｐ上の位置データ（絶対座標）を取得し、取得した配管Ｐ上の位置データと、超音波探触子２による検出結果から得られる探傷結果とを関連付ける。
【００２１】
次に、このように構成された検査システムの超音波探触子２、リーダー３、照明６、筐体１０の構成を図３〜図５を参照しながら詳細に説明する。ここで、超音波探触子２、リーダー３、照明６、筐体１０より構成される器具を検査プローブ１００と呼ぶ。
【００２２】
図３は、本発明の第１実施形態の検査プローブ１００の側面図である。図４は、本発明の第１実施形態の検査プローブ１００の平面図である。図５は、本発明の第１実施形態の筐体１０の平面図である。
【００２３】
図３に示す検査プローブ１００の超音波探触子２は、筐体１０に固定されている。筐体１０は通常アクリル等の音波透過性を備えた遅延材を用いて単一の部材として一体的に形成されている。本実施形態の筐体１０は、中実に形成された単一のアクリル樹脂により形成されておりプリズムのような外観を持つ部材である。ここで、遅延材とは、超音波探触子２から発信される超音波をレンズのように屈折させることで、任意の角度で被検体に超音波を伝搬させる材料のことをいう。
本実施形態における超音波探触子２の筐体１０への固定方法はネジ止めであるが、超音波探触子２を筐体１０に接着剤を使用して固定しても良い。また、超音波探触子２と筐体１０は一体構造の筐体となっていてもよい。ここで、筐体１０の材料はアクリルに限定されず、透明性と音波透過性を有する素材であれば使用可能である。また、筐体１０は検査に使用する超音波の屈折角度によって形状が変更されても良い。
【００２４】
筐体１０には、超音波探触子２に加え、リーダー３と照明６が固定されている。従って、筐体１０は、超音波探触子２に対しては遅延材として、リーダー３に対してはプリズムとして機能する。即ち、単一のアクリル樹脂である筐体１０内を超音波と光が後述するように一部重なって伝達されることで、筐体１０及び検査プローブ１００の小型化が実現できる。
なお、本実施形態におけるリーダー３と照明６の筐体１０への固定方法もネジ止めであるが、接着剤を使用して固定しても良い。
【００２５】
図３に示すように、本実施形態においては、リーダー３が垂直下向きに筐体１０に固定されており被検体の対向面ＳＰに正対している。
超音波探触子２は、超音波探触子２から発信した超音波が被検体の対向面ＳＰに入射する入射点Ｌ２がリーダー３の画角γ内に入るように（筐体１０内を超音波と光が一部重なって伝達されるように）筐体１０に固定されている。即ち、超音波探触子２は、被検体の対向面ＳＰの垂線に対して鋭角α傾斜して筐体１０に固定されている。
超音波探触子２から発信した超音波は、被検体の対向面ＳＰに対して図３に示す入射角αで入射する。
【００２６】
照明６は、図３に示すように、リーダー３よりも下方に固定されている。そのため、照明６から発せられた照明光は、被検体の対向面ＳＰに対して、図３に示す入射角βで入射する。図３より、超音波の入射角αよりも照明光の入射角βの方が大きい。ここで、入射角αは例えば５°から３５°の範囲にあることが好ましく、より好ましくは、１０°から２５°の範囲にあることが好ましい。また、入射角βは例えば９０°未満から６０°の範囲にあることが好ましく、より好ましくは、８５°から７０°の範囲にあることが好ましい。
また、照明６の配置位置や個数は、筐体１０の形状に合わせて適宜変更しても良い。
【００２７】
このような検査プローブ１００を上側から見た平面図が図４に示されている。本実施形態においては、超音波探触子２が検査プローブ１００の走査方向に対して後方に固定されている。しかしながら、検査プローブ１００の走査方向の後方にリーダー３が固定され、前方に超音波探触子２が固定されていても良い。
なお、本願では、説明のために図４の紙面の左方向を検査プローブの走査方向に対する前方と定義しているが、これは一例であり、図４におけるあらゆる方向にプローブを走査しても良い。
【００２８】
上記のような本実施形態の検査プローブ１００によれば、以下のような技術的効果が得られる。
筐体１０に透明性と音波透過性を有するアクリル樹脂を用いているため、筐体１０に固定された超音波探触子２に入出力される超音波とリーダー３に入力される光（映像）とを共に筐体１０を通過させることができる。そのため、筐体１０の小型化が実現できる。
筐体１０の小型化が実現されることで、超音波探触子２を含む検査プローブ１００の小型化が実現できる。そのため、検査プローブ１００の操作性が向上し、障害物により走査できない範囲が減少する。
また、筐体１０の小型化により、リーダー３と超音波探触子２との距離が減少する。そのため、リーダー３の画角中心位置Ｌ１と超音波の入射点Ｌ２の距離が減少し、位置補正をする量が減少する。ここで、位置補正とは、リーダー３が読むＱＲコード１ａより取得した絶対座標の位置と、超音波探触子２が検出した被検体の検出結果が得られた位置とが本来一致していることが望ましいため、これらの位置が異なっている場合、これらの位置を一致させる補正を行うことをいう。
また、上記実施形態によれば、超音波探触子２から発信した超音波が被検体の対向面ＳＰに入射する入射点Ｌ２がリーダー３の画角γ内に入っているため、超音波が被検体に入射する位置をリーダー３の撮像画像で直接確認できる。そのため、超音波透過の障害となる気泡の混入の有無を、超音波探触子２の検出結果を示す超音波波形と同時に演算処理装置５の表示部１１で確認でき、検査員は探傷作業に集中できる。
この気泡混入の有無の読み取り例を図８Ａと図８Ｂに示す。図８Ａ、図８Ｂは、共に本発明の第１実施形態の検査プローブによる被検体の対向面ＳＰの読み取り例を示す図である。
図８Ａでは、気泡がシート材１の下に塗布された接触媒質に混入した状態を示す。このような状態では、超音波が被検体である金属中に伝播しないため、正確な検出結果を得ることができない。一方、図８Ｂでは、接触媒質への気泡の混入がなく、正確な検出結果が得られる状態を示す。
従って、本実施形態によれば、検査員が気泡の混入の有無を容易に確認することができ、気泡の混入に気付かないまま検査を続けた結果、正確な検査結果が得られないという可能性を排除できる。
また、照明６がリーダー３の下に固定され、かつ、被検体の対向面ＳＰの垂直よりも被検体の対向面ＳＰに僅かに傾斜して筐体１０に固定されている。即ち、照明光が入射角βで被検体に入射するように照明６が筐体１０に固定されている。そのため、リーダー３によるＱＲコード１ａの読み取りが被検体の対向面ＳＰに反射する照明光により妨げられることがなく、正確に被検体の対向面ＳＰの位置データを読み取ることが可能となる。これは、筐体１０に対する照明６の上記のような取付け角度により、照明光が被検体の対向面ＳＰに対して大きな入射角βで入射するため、照明６から発射されて被検体に入射せずに被検体の対向面ＳＰで反射した照明光と、被検体に入射した照明光の反射光がリーダー３に入射しないためであると考えられる。
上記の照明６の傾斜角を上記の照明光の入射角βを使用して表現すると、照明６は、被検体の対向面ＳＰの垂線に対して、（９０―β）°傾斜して設けられていると言える。従って、上記の入射角βの範囲を考慮すると、照明６は、被検体の対向面ＳＰの垂線に対して、例えば０°より大きく３０°の範囲で傾斜しているのが好ましく、５°から２０°の範囲で傾斜しているのがより好ましい。
【００２９】
なお、本実施形態における筐体１０の照明６が固定される側の端面１０Ｂ１は、図５に示すような鋸刃状の断面を有する形状に形成されている。これは、超音波探触子２から発信され被検体に入射した超音波の反射波や、被検体に入射せずに反射した超音波の反射波の内、端面１０Ｂ１に入射する反射波を乱反射させることによって、超音波探触子２に直接入射される超音波の反射波の検出に影響を与えないためである。
ここで、図５に示される４ヵ所の孔部は、超音波探触子２とリーダー３を筐体１０に固定する際にネジが挿入されるネジ孔ｈである。
【００３０】
また、筐体１０の表面には、反射防止フィルムが貼られていたり、筐体１０の表面が黒色で塗装されていたりしても良い。これは、野外で作業をする際には太陽光が筐体１０内に入射するのを防ぎ、屋内で作業をする際には照明等の外光が筐体１０内に入射するのを防ぐためである。
【００３１】
また、図３に示すように、被検体の対向面ＳＰに対向する筐体１０の一面１０Ｃの両端部の角を取るように筐体１０が形成されている。これは筐体１０が被検体の対向面ＳＰ上をスムーズに移動できるようにするためである。
また、被検体が配管である場合、被検体（配管）の対向面ＳＰに対向する筐体１０の一面１０Ｃを配管の曲面に合わせて凹状に加工しても良い。
【００３２】
次に、図６Ａを用いて、本発明の第１実施形態の第１の変形例を説明する。
以下の説明では、第１実施形態との相違点のみを説明し、第１実施形態と同様の構成要素については同一の参照番号を付し、その説明を省略する。
図６Ａは、本発明の第１実施形態の第１の変形例の検査プローブ２００の平面図である。
本発明の第１実施形態の第１の変形例では、図６Ａに示すように、第１実施形態の超音波探触子２が、送信超音波探触子２Ａと受信超音波探触子２Ｂより構成されている。ここで、送信超音波探触子２Ａと受信超音波探触子２Ｂは、音響隔離面１１０によって音響的に隔離されている。また、リーダー３は筐体１０を図６Ａの紙面で上下半分に分けた略中心に固定されている。
ここで、音響隔離面１１０は、図６Ａに示すように、リーダー３よりも検査プローブ２００の走査方向の進行方向側のみに存在していても、図示されていないが照明６の近傍まで延びていても良い。音響隔離面１１０が照明６の近傍まで延びている場合には、リーダー３は音響隔離面１１０に干渉しないように配置され固定される。
このように構成された発信超音波探触子２Ａと受信超音波探触子２Ｂとを備える検査プローブ２００によっても、第１実施形態の超音波探触子２を備える検査プローブ１００と同様の技術的効果が得られる。
なお、音響の干渉が検査に影響しない場合には、音響隔離面１１０を設けなくても良い。例えば、音響隔離面１１０を設けない構成の一例として、図６Ｂに示すような第１実施形態の第２の変形例がある。図６Ｂは、本発明の第１実施形態の第２の変形例の検査プローブ２１２の平面図である。以下の図６Ｂの説明では、図６Ａに示す本発明の第１実施形態の第１の変形例と同様の構成については同一の参照番号を付し、その説明を省略する。
図６Ｂに示す本発明の第１実施形態の第２の変形例では、送信超音波探触子２１２Ａと受信超音波探触子２１２Ｂとの間にリーダー３１２が設けられている。このように構成された検査プローブ２１２によっても、第１実施形態の超音波探触子２を備える検査プローブ１００と同様の技術的効果が得られる。
【００３３】
次に、図７を用いて、本発明の第１実施形態の第３の変形例を説明する。
図７は、本発明の第１実施形態の第３の変形例の検査プローブ３００の側面図である。
図７に示す第１実施形態の第３の変形例では、リーダー３０が、筐体２０の端面１０Ａに固定されている。図７に示すように、端面１０Ａは被検体の対向面ＳＰに対して略垂直に形成され、リーダー３０は端面１０Ａに略垂直に固定されている。
ここで、略垂直とは、垂直を含み、垂直と見なされる垂直の前後１０°程度を含む範囲とする。
また、リーダー３０が固定されているのと反対側の筐体２０の端面１０Ｂにはミラー１２０が固定されており、リーダー３０はミラー１２０に映るＱＲコード１ａを読み取る。そのため、リーダー３０からミラー１２０を見た場合、ＱＲコード１ａがミラー１２０に映るように、ミラー１２０は被検体の対向面ＳＰに対して傾斜した端面１０Ｂに沿って固定されている。
また、照明６０は、検査プローブ３００の走査方向に対して垂直に交わる筐体２０の両面に固定されている。
このように構成された検査プローブ３００によっても、第１実施形態の超音波探触子２を備える検査プローブ１００と同様の技術的効果が得られる。また、このような第１実施形態の第３の変形例によれば、ミラー１２０が固定される端面１０Ｂが被検体の対向面ＳＰに対して鋭角に傾斜している。そのため、第１実施形態に示す検査プローブ１００を使用できないような障害物がある被検体に対して、第１実施形態の第３の変形例による検査プローブ３００を使用しても良い。
【００３４】
以上、本発明の実施形態について説明したが、本発明の技術的範囲は前記実施形態に限定されず、本発明の趣旨を逸脱しない範囲において種々の変更を加えることが可能である。
【００３５】
例えば、上記実施例においては筐体が平面視で矩形であるが、上記実施形態に記載されたような超音波探触子２、リーダー３、３０、照明６、６０、ミラー１２０の相互の位置関係を満たしている限り、筐体の外形は丸みを帯びた形状や、検査員の手に馴染む任意の形状であっても良い。例えば、筐体１０がマウスのような形状をしていても良い。
また、照明は、筐体の一面の全面に固定されいなくとも良く、筐体１０の形状に合わせて適宜配置されても良い。照明は複数設けられていても良い。
【００３６】
本発明の用途は、超音波探触子による被検体の内部検査用としたが、被検体の表面検査に使用しても良い。
また、被検体として配管を一例として挙げたが、被検体は配管に限定されない。
なお、上記記載において、超音波に代えて音波と記載されている場合があるが、これは、超音波に限らず音波が超音波探触子から発射されても良いためである。
さらに、上記記載において、超音波探触子２から発信した超音波が被検体の対向面ＳＰに入射する入射点をＬ２とし、図３にＬ２を図示している。また、超音波探触子２から発信した超音波は、被検体の対向面ＳＰに対して図３に示す入射角αで入射し、照明６から発せられた照明光は、被検体の対向面ＳＰに対して、図３に示す入射角βで入射すると記載されている。しかしながら、図３では、Ｌ２が被検体の対向面ＳＰへの入射点ではなく、シート材１への入射点であるかのように見え、α、βが、被検体の対向面ＳＰへの入射角ではなく、シート材１への入射角であるかのように見えるが、これは簡略して図示しているためである。従って、上記の記載の通り、超音波探触子２から発信した超音波が被検体の対向面ＳＰに入射する点を入射点Ｌ２とし、超音波探触子２から発信した超音波が被検体の対向面ＳＰに対して図３に示す入射角αで入射し、照明６から発せられた照明光は、被検体の対向面ＳＰに対して、図３に示す入射角βで入射する。
【産業上の利用可能性】
【００３７】
本発明によれば、光学センサによるパターンの読み取りが被検体の対向面からの反射光により妨げられることを防止することができる。また、被検体の対向面のパターンと光学センサとの間に気泡が混入しているか否かを容易に確認することができる。そのため、正確に被検体の対向面のパターンを読み取ることができ、気泡の混入により音波が入射していないにもかかわらずパターンの読み取りを継続してしまうことを防ぐことができる。
【符号の説明】
【００３８】
１  シート材
２  超音波探触子
３、３０  リーダー
４  超音波探傷器
５  演算処理装置
１ａ  ＱＲコード
１１  表示部
１２  操作部
１３  通信Ｉ／Ｆ部
１４  演算制御部
１４ａ  検査プログラム
１００、２００、３００  検査プローブ  
１２０  ミラー
１１０  音響隔離面
【図１】
2016098224.tif 000003
【図２】
2016098224.tif 000004
【図３】
2016098224.tif 000005
【図４】
2016098224.tif 000006
【図５】
2016098224.tif 000007
【図６Ａ】
2016098224.tif 000008
【図６Ｂ】
2016098224.tif 000009
【図７】
2016098224.tif 000010
【図８Ａ】
2016098224.tif 000011
【図８Ｂ】
2016098224.tif 000012
【国際調査報告】
2016098224.tif 000013
2016098224.tif 000014
2016098224.tif 000015
2016098224.tif 000016